(57)【要約】【課題】映像出力装置の出力画面の切り換えや調整を行なう場合、リモコン上のボタン操作やＯＳＤ上の選択肢の決定、コンパネを使用しての制御等、ユーザが手操作を行なう必要があった。【解決手段】視線検出装置等を用いて映像出力装置上の注視点の検出を行なう手段と、検出された注視点を制御装置に伝える手段と、前記通知された注視点が制御実行範囲にあるかの検出を行なう手段と、通知された注視点と前回通知された注視点を比較する手段と、比較した注視点が一定時間同じ制御実行範囲にある事を判断する手段と、前記同じ範囲にある場合に実行する制御内容を映像出力装置に伝える手段とを備えた映像出力装置の制御を行なうのを特徴とする、視線検出装置等を用いた映像出力装置の制御装置。【選択図】図１
2005063296.tif 000002
【特許請求の範囲】
【請求項１】
視線検出装置等を用いて映像出力装置上の注視点の検出を行なう手段と、検出された注視点を制御装置に伝える手段と、前記通知された注視点が制御実行範囲にあるかの検出を行なう手段と、通知された注視点と前回通知された注視点を比較する手段と、比較した注視点が一定時間同じ制御実行範囲にある事を判断する手段と、前記同じ範囲にある場合に実行する制御内容を映像出力装置に伝える手段とを備えた映像出力装置の制御装置。
【請求項２】
前記検出された注視点を制御装置に伝える手段は、周期的に注視点の検索を行ない通知する事を特徴とする請求項１に記載の映像出力装置の制御装置。
【請求項３】
前記通知された注視点が制御実行範囲にあるかの検出を行なう手段は、映像出力装置の機能設定等によって予め決められた範囲を有効、無効と設定する事で制御実行範囲を決定し、その範囲内に注視点が存在するかを判断できる事を特徴とする請求項１または２に記載の映像出力装置の制御方法。
【請求項４】
請求項３における前記制御実行範囲の代わりとして、オンスクリーンディスプレイ（以下、ＯＳＤとする）やアイコン等、映像出力装置に表示される物を範囲と指定できる映像出力装置の制御装置。
【請求項５】
前記通知された注視点と前回通知された注視点を比較する手段は、通知された注視点が前回の制御実行範囲内に存在するかどうかの比較を行ない、注視点が制御実行範囲に存在した場合はどれぐらいの時間存在しているのかを計測する事を特徴とする請求項１から４の何れかに記載の映像出力装置の制御装置。
【発明の詳細な説明】
【技術分野】
【０００１】
本発明は、視線検出装置等を用いた映像出力装置の制御装置に関する。
【背景技術】
【０００２】
従来、映像出力装置の出力画面の切り換えや調整を行なう場合、リモートコントロール装置（以下、リモコンと記す）上のボタン操作で行なっていた（例えば特許文献１を参照）。あるいは、映像出力装置のオンスクリーンディスプレイ機能（以下、ＯＳＤと記す。）を用いて、ＯＳＤ上の選択肢をリモコンの矢印キー等で選択して行なう必要があった（例えば特許文献２を参照）。
【０００３】
また視線検出装置についても従来技術がある（例えば特許文献３を参照）。
【特許文献１】特開平９−１１６９７６号公報
【特許文献２】特開２０００−６９５７７号公報
【特許文献３】特開平１０−１５４２２０号公報
【発明の開示】
【発明が解決しようとする課題】
【０００４】
しかしながら、リモコンのボタン操作により出力画面の切り換えや調整を行なう場合には、ユーザがリモコンを手にとり、所望のボタン操作を行なう必要があった。また、リモコンが何らかの理由により手元に無い場合には、映像出力装置に取り付けられているコントロールパネル（以下、コンパネと記す。）で操作する必要があり、不便であった。よって、リモコンやコンパネを使用せずに映像出力装置の制御を行なえるようにするのが目的である。
【課題を解決するための手段】
【０００５】
かかる目的を達成するため、本発明の制御装置は、視線検出装置等を用いて映像出力装置上の注視点の検出を行なう手段と、検出された注視点を制御装置に伝える手段と、前記通知された注視点が制御実行範囲にあるかの検出を行なう手段と、通知された注視点と前回通知された注視点を比較する手段と、比較した注視点が一定時間同じ制御実行範囲にある事を判断する手段と、前記同じ範囲にある場合に実行する制御内容を映像出力装置に伝える手段とを備えた映像出力装置の制御を行なうのを特徴としている。
【発明の効果】
【０００６】
以上の説明より明らかなように、本発明の視線検出装置等を用いた映像出力装置の制御装置は、映像出力装置上の注視点の検出し、その注視点が制御実行範囲に一定時間存在した場合に、その制御実行範囲に対応した制御内容を映像出力装置に対して行なう事ができる。
【０００７】
よって、ユーザがリモコンのボタン操作やコンパネによる操作を行なうことなく映像出力装置の制御を行なえるため、手軽に快適に視聴する事が可能となる。
【発明を実施するための最良の形態】
【０００８】
（実施の形態１）
次に添付図面を参照して、本発明による制御装置の実施の形態を詳細に説明する。図１を参照すると、本発明の視線検出装置等を用いた映像出力装置の制御上装置の、一実施形態が示されている。
【０００９】
図１において、本実施形態の視線検出装置等を用いた映像出力装置の制御装置は、視線検出装置１、制御装置２、制御判定部３、注視点比較部４、制御実行部５、メモリー６、映像出力装置７、より構成される。
【００１０】
上記各構成部の視線検出装置１においては、ある一定周期毎、例えば０．５秒毎に映像出力装置７上に注視点１２がないか検索を行ない、注視点１２の有無に関わらず制御判定部３に通知する。
【００１１】
図２において、本実施形態の視線検出装置１における、制御実行範囲３１内に注視点１２が存在する場合の検出を行なう判断基準を示した説明図である。本実施形態の視線検出装置１は、映像出力装置７上に注視点１２を検出した場合、注視点１２、基準点１１、この説明図の場合は映像出力装置７の左上を（０，０）とし、Ｘ座標１３、Ｙ座標１４が制御判定部３に通知される。
【００１２】
図３において、本実施形態の制御判定部３における、制御実行範囲３１−Ａから３４−Ａの映像出力装置７上の配置一例を示した説明図である。本実施形態の制御判定部３は、映像出力装置７上の任意の位置に制御実行範囲３１−Ａから３４−Ａを配置し、メモリー６に記憶する。配置された範囲内に注視点１２が検出された場合、その範囲に割り当てられて制御内容が選択されていると判断し、注視点比較部４へ通知する。
【００１３】
配置された範囲内に注視点１２が検出されない場合は、注視点比較部４への通知は行なわない。
【００１４】
なお、制御実行範囲３１−Ａから３４−Ａに関しては、映像出力装置７の仕様により割り当てられる数及び配置は任意にできるものとする。
【００１５】
図４において、本実施形態の制御判定部３における、制御実行範囲３１−Ａから３４−Ａに割り当てられている制御内容の一例を示した説明図である。例えば制御実行範囲３１−Ａに注視点１２が存在している場合、制御判定部３は制御内容３１−ＢであるＣＨダウンが選択されていると判断し、注視点比較部４へ制御内容３１−Ａを通知する。このように、制御内容は３１−Ｂから３４−Ｂは、制御実行範囲３１−Ａから３４−Ａに対して一対一で対応している。
【００１６】
なお、制御内容３１−Ｂから３４−Ｂに関しては、映像出力装置７の仕様により割り当てられる制御内容は任意にできるものとする。
【００１７】
図５において、本実施形態の注視点比較部４における、注視点１２の比較を判断するフローチャートである。制御判定部３より通知された制御内容と、前回通知された制御内容の比較を行なう。比較を行なう理由は、一度だけ注視点が制御実行範囲内で検出された場合に、人間が意識して制御実行範囲を注視したのかどうかの判断が出来ないため、連続して同じ制御実行範囲内で注視点が検出されたら意識してその制御実行範囲を見ていたと判断するためである。注視点が前回と同じ制御内容が通知されたと判断した場合、制御内容と通知回数をメモリー６に記憶する。その後、通知回数がある一定回数、例えば１０回連続で同じ制御内容が通知されたら意識して制御実行範囲を注視していたと判断し、制御内容を制御実行部５へ通知する。
【００１８】
前回の制御内容と通知が異なる場合は、今回通知された内容を新たに記憶し、前回まで記憶していた通知回数を消去して再度１回と記憶しなおし、注視点比較部４の処理は終了する。
【００１９】
通知回数が一定回数に達していない場合も、同様に注視点比較部４の処理は終了する。
【００２０】
ここで、図７に示した図を用いて、一般的にリモコンを用いて操作する映像出力装置７の制御を説明する。ユーザは映像出力装置７の映像を切り換えたり、設定を変更する場合に、リモコン７１の操作ボタンを押下する。リモコン７１は、押下されたボタンに対応した赤外線７２を映像出力装置７に対して送信し、映像出力装置７はリモコン受光部７３にて受信する。リモコン受光部７３は、受信した内容をコード変換部７４に送り、コード変換部でリモコンコードに変換される。その後、リモコンコードが実行部７５に送られ、実際に実行される。
【００２１】
図６において、本実施形態の制御実行部５における制御実行を示したフローチャートである。注視点比較部４から通知された制御内容、例えば制御内容３１−Ｂを例に説明する。制御内容３１−Ｂの実際の内容はＣＨダウンであるので、制御実行部５ではＣＨダウンに相当するリモコンコード（ここでは、例えば３１−Ｃの０ｘ０００１）をメモリー６から読み出す。よって、上記図７を用いて説明したように、リモコンコードを映像出力装置７の実行部７５に通知すれば所望の動作を行なう事が可能となる。
【００２２】
尚、上述の実施形態は本発明の好適な実施の一例であるが、これに限定されるものではなく、本発明の要旨を逸脱しない範囲において種々変形実施可能である。
【産業上の利用可能性】
【００２３】
本発明にかかる映像出力装置の制御装置は、リモコンのボタン操作やコンパネによる操作を行なうことなく視線検出装置等を用いて映像出力装置の制御を行なえるものであり、ユーザが操作する映像出力装置等において有用である。
【図面の簡単な説明】
【００２４】
【図１】本発明の視線検出装置等を用いた映像出力装置の制御装置の実施の形態を示すシステム構成ブロック図
【図２】本発明の実施の形態における制御実行範囲内に注視点がある場合の検出を行なう判断基準を示した説明図
【図３】本発明の実施の形態における制御実行範囲の配置例を示した説明図
【図４】本発明の実施の形態における制御実行範囲に割り当てられている制御実行の例を示した説明図
【図５】本発明の実施の形態における制御内容の比較を行なう制御手順のフローチャート
【図６】本発明の実施の形態における制御実行部の制御手順のフローチャート
【図７】リモコンを用いて操作する映像出力装置の説明図
【符号の説明】
【００２５】
１    視線検出装置
２    制御装置
３    制御判定部
４    注視点比較部
５    制御実行部
６    メモリー
７    映像出力装置
１１    基準点
１２    注視点
１３    Ｘ座標
１４    Ｙ座標
３１−Ａ    制御実行範囲
３２−Ａ    制御実行範囲
３３−Ａ    制御実行範囲
３４−Ａ    制御実行範囲
３１−Ｂ    制御内容
３２−Ｂ    制御内容
３３−Ｂ    制御内容
３４−Ｂ    制御内容
７１    リモコン
７２    赤外線
７３    リモコン受光部
７４    コード変換部
７５    実行部
【図１】
2005063296.tif 000003
【図２】
2005063296.tif 000004
【図３】
2005063296.tif 000005
【図４】
2005063296.tif 000006
【図５】
2005063296.tif 000007
【図６】
2005063296.tif 000008
【図７】
2005063296.tif 000009